(57)【要約】【課題】回転検出部に接続されている第１接続用導通部材を含む回転検出部周辺の防水性を高めたトリガースイッチユニットを提供する。【解決手段】防水構造になっているユニットケース１１を有し、ユニットケース１１に形成された第１穴部１１ｃからユニットケース１１の外方に突出する回転軸５、ユニットケース１１の内部に収納され回転軸５の回転動作を検出する回転検出部８、及び外方に露出した複数の出力端子７ａを有してメス型コネクタ９１に組み合わされた時に防水構造となるオス型コネクタ７を備えたトリガースイッチユニット３であって、回転検出部８と出力端子７ａとを電気的に接続する複数の第１接続用導通部材９が、ユニットケース１１の内部に配設されている。【選択図】図６
2014179275.tif 000002
【特許請求の範囲】
【請求項１】
防水構造になっているユニットケースを有し、前記ユニットケースに形成された第１穴部から前記ユニットケースの外方に突出する回転軸、前記ユニットケースの内部に収納され前記回転軸の回転動作を検出する回転検出部、及び外方に露出した複数の出力端子を有してメス型コネクタに組み合わされた時に防水構造となるオス型コネクタを備えたトリガースイッチユニットであって、
前記回転検出部と前記出力端子とを電気的に接続する複数の第１接続用導通部材が、前記ユニットケースの内部に配設されていることを特徴とするトリガースイッチユニット。
【請求項２】
前記ユニットケースは、ユニットケース本体とユニットケースカバーとを有すると共に、
前記ユニットケース本体と前記ユニットケースカバーとで挟持されたパッキンと、前記第１穴部と前記回転軸との間に介在する第１防水手段とで防水構造になっており、
前記トリガースイッチユニットは、前記ユニットケースと前記メス型コネクタに組み合わされた時の前記オス型コネクタとによって防水構造とされていることを特徴とする請求項１に記載のトリガースイッチユニット。
【請求項３】
前記第１防水手段は、リング状弾性防水部材であり、前記リング状弾性防水部材を前記回転軸、及び前記ユニットケースそれぞれに密着させるようにしたことを特徴とする請求項２に記載のトリガースイッチユニット。
【請求項４】
前記ユニットケースに形成された第２穴部から前記ユニットケースの外方に突出した操作ボタンを、第２防水手段を介して取り付け、
前記操作ボタンにより駆動される押圧検出部を前記ユニットケースの内部に備え、
前記押圧検出部と前記出力端子とを電気的に接続する第２接続用導通部材が、前記ユニットケースの内部に配設されていることを特徴とする請求項１乃至請求項３のいずれかに記載のトリガースイッチユニット。
【請求項５】
前記第２防水手段は、前記操作ボタンと前記ユニットケースそれぞれに密着させたドーム型弾性防水部材であることを特徴とする請求項４に記載のトリガースイッチユニット。
【発明の詳細な説明】
【技術分野】
【０００１】
本発明は電動工具に用いられるトリガースイッチに内蔵されるトリガースイッチユニットに係わり、特に防水性の高いトリガースイッチユニットに係わる。
【背景技術】
【０００２】
従来から、電動工具に用いられるトリガースイッチには、防塵、防水といった耐環境性が要求されている。特に、プロ用の電動工具では、雨の中で作業を行なうことも想定されるため、より高い防水性が要求される。
【０００３】
このような要求に対応したトリガースイッチが、特許文献１に開示されている。図１７、及び図１８に示す特許文献１のトリガースイッチ９００は、ケース９１１と、ケース９１１の側面の開口面を塞ぐように取り付けたカバー９１２とで構成された筐体を有している。筐体内部には、ローターの回動動作で摺動させてオン／オフする機構を装着していると共に、密閉されたスイッチ機構部即ちトリガースイッチユニット９４１を備えており、筐体外部には、手の操作で直進方向への引き込み動作をするトリガー９１５を備えている。
【０００４】
ケース９１１に設けられたスイッチ貫通孔９２３には、トリガースイッチユニット９４１のスイッチ係合部９４２を挿通させている。
【０００５】
また、ケース９１１の外部に突出したスイッチ係合部９４２に連結カム９１３を取り付け、この取り付けた連結カム９１３に介在させた連結棒９１４をトリガー９１５の引き込み動作に連動させるように構成されている。
【０００６】
図１８に示すように、ケース９１１の側面に電源端子を挿入する挿入口（第１電源端子挿入口９１８、第２電源端子挿入口９１９）及び可動接片の端子を挿入する挿入口（第１可動接片端子挿入口９２１、第２可動接片端子挿入口９２２）を備えた構成になっている。そして、これらの挿入口に挿入された複数の電源端子及び可動接片端子が、図示せぬ外部の回路に接続されるように構成されている。
【０００７】
ケース９１１の内部において、第１電源端子挿入口９１８には、第１電源導通接片９２４が取り付けられていて、第２電源端子挿入口９１９には、第２電源導通接片９２５が取り付けられている。そして、カバー９１２に配置された第1信号接続片９２６及び第２信号接続片９２７が、トリガースイッチユニット９４１の第１固定接点部９４３及び第２固定接点部９４４に電気的に接触した状態で取り付けられている。
【０００８】
また、第１可動接片端子挿入口９２１、及び第２可動接片端子挿入口９２２の内側には板バネ９４８が差し込まれていて、板バネ９４８は、ケース９１１内で第１固定接点部９４３及び第２固定接点部９４４に電気的に接触させるように配置されている。
【０００９】
このトリガースイッチ９００においては、スイッチ係合部９４２を外部において回動させる構造となっている。そのため、スイッチ係合部９４２は、トリガー９１５の直進方向への引き込み動作に対して同じ直進方向に動くことがないため、塵埃といった異物が留まる領域を無くすことができる。
【００１０】
このように、図１７、図１８に示す特許文献１のトリガースイッチ９００は、ケース９１１とカバー９１２とで構成された筐体内に備えたスイッチの機構を、直線運動から回転運動に変換することによって、外部からの空気の流入を極めて少なくすることができる。また、トリガースイッチユニット９４１を密閉しているため、空気に混合している埃、塵といった粉塵がトリガースイッチユニット９４１内に入り込むことを阻止することが可能になる。また、このように、防塵性を高めたことによって、トリガースイッチユニット９４１の防水性も高めることができている。
【先行技術文献】
【特許文献】
【００１１】
【特許文献１】特開２０１１−０６５７６７号公報
【発明の概要】
【発明が解決しようとする課題】
【００１２】
このように、従来のトリガースイッチ９００は、スイッチ係合部９４２の回転を検出する回転検出部があるトリガースイッチユニット９４１を密閉しているため、トリガースイッチユニット９４１内への埃、塵といった粉塵、及び水の浸入を防止することができる。しかしながら、従来のトリガースイッチ９００には以下のような問題があった。即ち、トリガースイッチユニット９４１の外部に、第１電源導通接片９２４、第２電源導通接片９２５、第１信号接続片９２６、第２信号接続片９２７、第１固定接点部９４３、第２固定接点部９４４、及び板バネ９４８等の接続用導通部材が露出している。なおかつ、これらの接続用導通部材が納められているケース９１１は密閉されているわけではない。また、第１電源端子挿入口９１８、第２電源端子挿入口９１９、第１可動接片端子挿入口９２１、及び第２可動接片端子挿入口９２２からも水が浸入する可能性がある。従って、ケース９１１内に水が浸入し、これらの接続用導通部材に水が付着した場合、この水によって接続用導通部材同士が電気的に接続し、短絡してしまうという問題が生じる可能性があった。
【００１３】
このような問題を解決するためには、ケース９１１を密閉することも考えられるが、その場合、トリガー９１５も含めて密閉することになり、機能的に不完全なものになってしまう可能性があるため現実的ではない。
【００１４】
本発明はこのような従来技術の実情に鑑みてなされたもので、その目的は、回転検出部に接続されている接続用導通部材を含む回転検出部周辺の防水性を高めたトリガースイッチユニットを提供することにある。
【課題を解決するための手段】
【００１５】
上記課題を解決するために本発明のトリガースイッチユニットは、防水構造になっているユニットケースを有し、前記ユニットケースに形成された第１穴部から前記ユニットケースの外方に突出する回転軸、前記ユニットケースの内部に収納され前記回転軸の回転動作を検出する回転検出部、及び外方に露出した複数の出力端子を有してメス型コネクタに組み合わされた時に防水構造となるオス型コネクタを備えたトリガースイッチユニットであって、前記回転検出部と前記出力端子とを電気的に接続する複数の第１接続用導通部材が、前記ユニットケースの内部に配設されているという特徴を有する。
【００１６】
このように構成された本発明のトリガースイッチユニットは、出力端子と回転検出部とを電気的に接続する複数の第１接続用導通部材を、防水構造になっているユニットケースの内部に配設したため、複数の第１接続用導通部材それぞれに水が付着することがなく、複数の第１接続用導通部材同士が短絡してしまうという問題が生じなくなった。従って、回転検出部に接続されている接続用導通部材を含む回転検出部周辺の防水性を高めることができる。
【００１７】
また、上記の構成において、前記ユニットケースは、ユニットケース本体とユニットケースカバーとを有すると共に、前記ユニットケース本体と前記ユニットケースカバーとで挟持されたパッキンと、前記第１穴部と前記回転軸との間に介在する第１防水手段とで防水構造になっており、前記トリガースイッチユニットは、前記ユニットケースと前記メス型コネクタに組み合わされた時の前記オス型コネクタとによって防水構造とされているという特徴を有する。
【００１８】
このように構成された本発明のトリガースイッチユニットを、パッキンと第１防水手段とで防水構造になっているユニットケースと、メス型コネクタに組み合わされた時のオス型コネクタとによって防水構造とした。そのため、トリガースイッチユニットにおける水の浸入口を全て塞ぐことができる。その結果、複数の第１接続用導通部材が内部に配設されたトリガースイッチユニットの防水性を高めることができる。
【００１９】
また、上記の構成において、前記第１防水手段は、リング状弾性防水部材であり、前記リング状弾性防水部材を前記回転軸、及び前記ユニットケースそれぞれに密着させるようにしたという特徴を有する。
【００２０】
このように構成された本発明のトリガースイッチユニットは、リング状弾性防水部材を回転軸、及びユニットケースそれぞれに密着させるようにしたため、回転軸を回動可能とすると共に、ユニットケースに設けられた第１穴部からのユニットケース内への水の浸入を、より確実に防止することができる。
【００２１】
また、上記の構成において、前記ユニットケースに形成された第２穴部から前記ユニットケースの外方に突出した操作ボタンを、第２防水手段を介して取り付け、前記操作ボタンにより駆動される押圧検出部を前記ユニットケースの内部に備え、前記押圧検出部と前記出力端子とを電気的に接続する第２接続用導通部材が、前記ユニットケースの内部に配設されているという特徴を有する。
【００２２】
このように構成された本発明のトリガースイッチユニットは、第１接続用導通部材と共に、押圧検出部に接続された第２接続用導通部材も、ユニットケースの内部に備えるようにしたため、第２接続用導通部材に水が付着することがなく、第２接続用導通部材が複数ある場合の複数の第２接続用導通部材同士、又は第１接続用導通部材と第２接続用導通部材とが短絡してしまうという問題が生じなくなった。
【００２３】
また、上記の構成において、前記第２防水手段は、前記操作ボタンと前記ユニットケースそれぞれに密着させたドーム型弾性防水部材であるという特徴を有する。
【００２４】
このように構成された本発明のトリガースイッチユニットは、第２防水手段を、操作ボタンとユニットケースそれぞれに密着させたドーム型弾性防水部材としたため、第２穴部からのユニットケース内への水の浸入を、より確実に防止することができる。
【発明の効果】
【００２５】
本発明のトリガースイッチユニットは、出力端子と回転検出部とを電気的に接続する複数の第１接続用導通部材を、防水構造になっているユニットケースの内部に配設したため、複数の第１接続用導通部材それぞれに水が付着することがなく、複数の接続用導通部材同士が短絡してしまうという問題が生じなくなった。従って、回転検出部に接続されている接続用導通部材を含む回転検出部周辺の防水性を高めることができる。
【図面の簡単な説明】
【００２６】
【図１】本発明・実施形態のトリガースイッチユニットを収納したトリガースイッチの外観を示す斜視図である。
【図２】本発明・実施形態のトリガースイッチユニットを収納したトリガースイッチを構成する各部品を示す分解斜視図である。
【図３】本発明・実施形態のトリガースイッチユニットの外観を示す斜視図である。
【図４】本発明・実施形態のトリガースイッチユニットを構成する各部品を示す分解斜視図である。
【図５】本発明・実施形態のトリガースイッチユニットの外観を示す正面図である。
【図６】図５のＡ１−Ａ２線から見た、本発明・実施形態のトリガースイッチユニットの断面図である。
【図７】図５のトリガースイッチユニットの第２防水手段近辺の拡大断面図である。
【図８】本発明・実施形態のトリガースイッチユニット内の出力端子と第１及び第２の接続用導通部材との関係を示す模式図である。
【図９】本発明・実施形態のトリガースイッチユニットを収納したトリガースイッチの、外側ケースカバー及びトリガースイッチユニットを外したときの状態を示す斜視図である。
【図１０】本発明・実施形態のトリガースイッチユニットを収納したトリガースイッチの、外側ケースと第１操作部とを示す分解斜視図である。
【図１１】本発明・実施形態のトリガースイッチユニットを収納したトリガースイッチの、外側ケースカバーを外したときの状態を示す斜視図である。
【図１２】本発明・実施形態のトリガースイッチユニットを収納したトリガースイッチの、外側ケースを外したときの状態を示す正面図である。
【図１３】本発明・実施形態のトリガースイッチユニットを収納したトリガースイッチの外観を示す正面図である。
【図１４】図１３のＢ１−Ｂ２線から見た、本発明・実施形態のトリガースイッチユニットを収納したトリガースイッチの断面図である。
【図１５】本発明・実施形態のトリガースイッチユニットを収納したトリガースイッチにおける第２操作部の動作を示す平面図である。
【図１６】本発明・実施形態のトリガースイッチユニットを収納したトリガースイッチにおける第２操作部の動作を示す拡大側面図である。
【図１７】従来例に係るトリガースイッチユニットを収納したトリガースイッチを示す斜視図である。
【図１８】従来例に係るトリガースイッチユニットを収納したトリガースイッチを構成する各部品を示す分解斜視図である。
【発明を実施するための形態】
【００２７】
［実施形態］
以下、本発明の実施形態について図面を参照しながら説明する。尚、本明細書では、各図面のＸ１側を右側、Ｘ２側を左側、Ｙ１側を上方、Ｙ２側を下方、Ｚ１側を後方、Ｚ２側を前方として説明する。
【００２８】
図１及び図２を参照して、本発明のトリガースイッチユニット３を収納したトリガースイッチ１００の全体構成について説明する。図１は、トリガースイッチ１００の概観を示した斜視図であり、図２は、トリガースイッチ１００を構成する各部品を示す分解斜視図である。
【００２９】
図１に示すように、トリガースイッチ１００は、外側ケース４と、外側ケース４に取り付けられ、往復動可能に支持された第１操作部１と、第１操作部１とは異なる操作をするための第２操作部２とを備えている。尚、外側ケース４は、第１操作部１や第２操作部２が取り付けられる外側ケース本体４ａと外側ケースカバー４ｂとからなる。
【００３０】
第１操作部１は、トリガースイッチ１００が接続されている電動工具（図示せず）に内蔵されているモーター（図示せず）の電源のオン・オフや回転数の制御を行なうための操作部である。トリガー部１ａを外側ケース４側へ押し込むことによりモーターの電源をオンし、更に押し込むことによりモーターの回転数を増加させることができる。また、トリガー部１ａを元の位置の方向に戻すことによりモーターの回転数を低減させたり、モーターの電源をオフしたりすることができる。
【００３１】
第２操作部２は、トリガースイッチ１００に接続されている電動工具に内蔵されているモーターの回転方向の制御を行なうための操作部である。電動工具、例えば、電動ドライバーでネジを取り付ける場合には、第２操作部２を操作することによって正方向へ回転させ、ネジを取り外す場合には、第２操作部２を操作することによって逆方向へ回転させることができる。
【００３２】
トリガースイッチ１００は、外側ケース４、第１操作部１、第２操作部２と共に、図２に示すように、圧縮バネ２１、ジョイント２２、連結カム２３とからなる変換手段６、トリガースイッチユニット３等を備えている。
【００３３】
トリガースイッチユニット３は、外側ケース４に収納されており、防水構造になっているユニットケース１１を有し、第１操作部１によって操作される回転軸５を備えている。そして、回転軸５を回転させることにより、電動工具に対する種々の制御を行なえるようになっている。変換手段６は、第１操作部１の往復動作を回転動作に変換して回転軸５を回転駆動する。また、外側ケース本体４ａには、板バネ支持部４ｆが設けられており、第２操作部２を押圧するための板バネ１３が、板バネ支持部４ｆに配設されている。尚、第１操作部１、第２操作部２、変換手段６の各部の構造及び働きについては、後に詳細に説明する。
【００３４】
次に、トリガースイッチユニット３の防水構造について、図３乃至図８を用いて説明する。
【００３５】
図３は、トリガースイッチユニット３の外観を示す斜視図であり、図４は、トリガースイッチユニット３を構成する各部品を示す分解斜視図である。また、図５は、トリガースイッチユニット３の外観を示す正面図であり、図６は、図５のＡ１−Ａ２線から見たトリガースイッチユニット３の断面図である。また、図７は、図６に示す第２防水手段周辺の拡大断面図である。
【００３６】
図３に示すように、トリガースイッチユニット３は、それぞれ合成樹脂からなるユニットケース本体１１ａとユニットケースカバー１１ｂとで構成されたユニットケース１１を有している。トリガースイッチユニット３には、ユニットケース本体１１ａから手前の方向（Ｚ２方向）に突出していて、第１操作部１によって操作される回転軸５を備えている。また、ユニットケース本体１１ａから上方（Ｙ１方向）に突出していて、第２操作部２によって操作される操作ボタン２０も備えている。そして、ユニットケース本体１１ａの下方（Ｙ２方向）に、外部の回路と接続するための複数の出力端子７ａを有し、ユニットケース１１と一体となったオス型コネクタ７が設けられている。
【００３７】
回転軸５は、図４に示すように、トリガースイッチユニット３のユニットケース本体１１ａに設けられた第１穴部１１ｃを貫通し、第１穴部１１ｃと回転軸５との間に介在する、第１防水手段１０であるリング状弾性防水部材１９によって回転可能に取り付けられる。
【００３８】
図４に示すように、トリガースイッチユニット３の内部には、回転軸５の回転を検出し、その検出の結果によって種々の機構動作を行ない、検出した結果をオス型コネクタ７の出力端子７ａから外部回路（図示せず）に出力する回転検出部８が設けられている。回転検出部８の内部には、電動工具に内蔵されているモーターのオン・オフを切り換えるためのスイッチ（図示せず）や、モーターのスピードを制御するための可変抵抗器等（図示せず）が内蔵されている。
【００３９】
また、トリガースイッチユニット３には、第２操作部２の操作により、電動工具に対する制御を行なうための押圧検出部１２が内蔵されていて、押圧検出部１２の上部には、第２操作部２の操作により押圧されるように構成された操作ボタン２０が設けられている。押圧検出部１２は、例えば、電動工具に内蔵されているモーターの回転方向を、正方向又は逆方向に切り換えるためのスイッチとして用いられる。
【００４０】
押圧検出部１２を操作する操作ボタン２０は、ユニットケース本体１１ａに設けられた第２穴部１１ｄを貫通し、第２防水手段１６であるドーム型弾性防水部材１７を介在させてトリガースイッチユニット３に押圧可能に取り付けられる。
【００４１】
また、回転検出部８は複数の第１接続用導通部材９によって複数の出力端子７ａに接続されており、押圧検出部１２は複数の第２接続用導通部材１５によって複数の出力端子７ａに接続されている。
【００４２】
次に、トリガースイッチユニット３の防水構造について図５及び図６を用いて説明する。
【００４３】
図６に示すように、ユニットケース１１の略中央に、回転軸５が第１穴部１１ｃを貫通する形で取り付けられている。ユニットケース本体１１ａの内部には、第１穴部１１ｃを取り囲むように第１防水手段取付凹部１１ｅが設けられていて、第１防水手段取付凹部１１ｅに第１防水手段１０であるゴム等の弾性部材からなるリング状弾性防水部材１９が取り付けられている。回転軸５は、ユニットケース本体１１ａに、軸の周囲をリング状弾性防水部材１９で狭持され、回転可能となるように装着されている。また、リング状弾性防水部材１９の穴部の内壁表面に回転軸５を密着させ、リング状弾性防水部材１９の外壁表面をユニットケース１１の第１防水手段取付凹部１１ｅに密着させるようにしている。その結果、回転軸５を回動可能とすると共に、ユニットケース１１に設けられた第１穴部１１ｃからユニットケース１１内への水の浸入を、より確実に防止することができる。
【００４４】
図７に示すように、押圧検出部１２用の操作ボタン２０は、ユニットケース本体１１ａに形成された第２穴部１１ｄからユニットケース１１の外方に突出し、上部（Ｙ１方向）にくびれ部２０ａを有する合成樹脂からなる略円筒形の部品である。そして、ユニットケース本体１１ａの上部（Ｙ１方向）に設けられた第２穴部１１ｄを貫通し、第２防水手段１６であるドーム型弾性防水部材１７を介在させて取り付けられている。第２防水手段１６であるドーム型弾性防水部材１７は、ゴム等の弾性を有した材料からなり、中央部に貫通穴を有した略円筒形状の構造となっている。
【００４５】
ドーム型弾性防水部材１７は、図７に示すように、その足部がユニットケース本体１１ａの上部に設けられた第２防水手段取付凹部１１ｆに食い込むように取り付けられている。そして、ドーム型弾性防水部材１７の上部が操作ボタン２０のくびれ部２０ａに、弾性を保った状態で取り付けられており、操作ボタン２０を支持している。ドーム型弾性防水部材１７は、操作ボタン２０のくびれ部２０ａに密着するように取り付けられている。また、ドーム型弾性防水部材１７は、ユニットケース１１の第２防水手段取付凹部１１ｆにも密着させるように取り付けられている。ドーム型弾性防水部材１７を、このように取り付けることによって、第２穴部１１ｄからの水の浸入を防止している。また、ドーム型弾性防水部材１７は、操作ボタン２０が下方向（Ｙ２方向）に押圧された場合に、操作ボタン２０と同時に下方向に圧縮されて屈曲できるように、操作ボタン２０との間（Ｚ１−Ｚ２方向）に空間が設けられている。
【００４６】
図６に示すように、ユニットケース本体１１ａとユニットケースカバー１１ｂとの間には、パッキン２４が挟み込まれている。ユニットケース１１は、ユニットケース本体１１ａとユニットケースカバー１１ｂとを、その間にパッキン２４を挟み込んだ状態で、互いに勘合させることによって防水構造としている。
【００４７】
トリガースイッチユニット３には、図６に示すように、外部の回路（図示せず）と電気的に接続するため、ユニットケース１１の外部に、外方に露出した複数の出力端子７ａを有するオス型コネクタ７が備えられている。オス型コネクタ７は、オス型コネクタ７単体では防水性を有していないが、外部との接続用のメス型コネクタ９１と組み合わされた時に防水構造とされる。防水構造とするために、例えばコーキング等の手法が用いられる。
【００４８】
上述のように、トリガースイッチユニット３は、第１防水手段１０のリング状弾性防水部材１９、第２防水手段１６のドーム型弾性防水部材１７、パッキン２４、及びメス型コネクタ９１と組み合わされて防水構造になっている状態のオス型コネクタ７によって防水構造とされている。それによって、トリガースイッチユニット３における水の浸入口を全て塞ぐことができる。その結果、複数の第１接続用導通部材９及び複数の第２接続用導通部材１５が内部に配設されたトリガースイッチユニット３の防水性を高めることができる。
【００４９】
次に、トリガースイッチユニット３の内部にある回転検出部８、及び押圧検出部１２を、オス型コネクタ７の出力端子７ａと電気的に接続する第１接続用導通部材９及び第２接続用導通部材１５について、図６及び図８を用いて説明する。
【００５０】
図８は、トリガースイッチユニット３内の複数の第１接続用導通部材９及び複数の第２接続用導通部材１５と出力端子７ａとの関係を示す模式図である。
【００５１】
図６及び図８に示すように、トリガースイッチユニット３の外部に突出している複数の出力端子７ａとトリガースイッチユニット３の内部にある回転検出部８とを電気的に接続する複数の第１接続用導通部材９が、トリガースイッチユニット３内に配設されている。また、トリガースイッチユニット３内には、複数の出力端子７ａとトリガースイッチユニット３の内部にある押圧検出部１２とを電気的に接続する複数の第２接続用導通部材１５も配設されている。
【００５２】
複数の第１接続用導通部材９、及び複数の第２接続用導通部材１５は、出力端子７ａのそれぞれの端子に対応して設けられていて、それぞれ、回転検出部８内の回路（図示せず）、又は押圧検出部１２内の回路に接続されている。
【００５３】
このように、複数の第１接続用導通部材９、及び複数の第２接続用導通部材１５は、前述した防水構造になっているトリガースイッチユニット３の内部に配設されている。そのため、外側ケース４内に水が浸入したとしても、トリガースイッチユニット３には水が浸入することはない。従って、複数の第１接続用導通部材９同士、又は複数の第２接続用導通部材１５同士、又は第１接続用導通部材９と第２接続用導通部材１５との間に水が入り込み、導通部材間で短絡するという事故が発生することはない。
【００５４】
次に、トリガースイッチ１００への第１操作部１の取り付け構造について、図９及び図１０を用いて説明する。
【００５５】
図９は、トリガースイッチ１００の、外側ケースカバー４ｂ及びトリガースイッチユニット３、及び変換手段６を外したときの状態を示す斜視図である。また、図１０は、外側ケース本体４ａと外側ケースカバー４ｂとが組み合わされた状態の外側ケース４と第１操作部１のみを示す分解斜視図である。
【００５６】
外側ケース本体４ａには、図９及び図１０に示すように、外側ケース本体４ａから突出して形成された４本の第１支持部４ｃが設けられており、４本の第１支持部４ｃがそれぞれ、第１操作部１内に設けられている４箇所のトリガー凹部１ｃに挿入される。４箇所のトリガー凹部１ｃは、第１操作部１内で、左右方向（Ｘ１−Ｘ２方向）に延在している。そのため、第１操作部１は、この４本の第１支持部４ｃに往復動可能に支持されることとなる。
【００５７】
第１操作部１には、更にトリガー突出部１ｂが設けられていて、図９に示すように、トリガー突出部１ｂの先端部が外側ケース本体４ａに設けられている外側ケース穴部４ｇを貫通して、外側ケース本体４ａの内部に配設されている。トリガー突出部１ｂには、図２で示した変換手段６が取り付けられ、トリガー部１ａの往復動作に従って変換手段６を往復動作させるための働きをする。
【００５８】
次に、トリガースイッチ１００の構造について、図１１、図１２、図１３及び図１４を用いて説明する。
【００５９】
図１１は、外側ケースカバー４ｂを外したときの状態を示す斜視図であり、図１２は、外側ケース４を透明にした場合の状態を示す正面図である。また、図１３は、トリガースイッチ１００の外観を示す正面図である。図１４は、図１３の正面図で示すトリガースイッチユニット３に取り付けられた回転軸５の中心を通るＢ１−Ｂ２線（Ｙ１−Ｙ２方向の線）で切断した時の、Ｂ１−Ｂ２線から右方向（Ｘ１方向）を見た時の断面図である。
【００６０】
図１１及び図１２に示すように、第１操作部１とトリガースイッチユニット３との間には、第１操作部１の往復動作を回転動作に変換して回転軸５を回転駆動する変換手段６が設けられている。変換手段６は、圧縮バネ２１と、第１操作部１の往復動作により駆動されるジョイント２２と、ジョイント２２の駆動力が伝達され、この駆動力を回転力に変換する略楕円形状の連結カム２３と、からなっている。
【００６１】
圧縮バネ２１は、第１操作部１の往復動作をジョイント２２に伝達する時に、適切な応力を第１操作部１のトリガー部１ａに与えるように、その弾性力が設定されている。図１２に示すように、外側ケース本体４ａには、外側ケース本体４ａから第１操作部１の方向に突出している圧縮バネ支持部４ｈが設けられており、圧縮バネ２１を固定支持している。
【００６２】
ジョイント２２は、第１操作部１に設けられたトリガー突出部１ｂに強固に固定支持されていて、トリガー突出部１ｂの往復動作に従って動作するように形成されている。連結カム２３は略楕円形状をしており、楕円形状の長手方向に２個の穴を有している。２個の穴のうち、下方の穴（Ｙ２側の穴）即ち第１カム穴２３ａは、回転軸５に嵌合していて、連結カム２３は回転軸５に強固に取り付けられている。
【００６３】
また、ジョイント２２に設けられているジョイント突起部２２ａが、連結カム２３の上方の穴（Ｙ１側の穴）即ち第２カム穴２３ｂを貫通することによって、ジョイント２２が連結カム２３に揺動可能に支持される。第２カム穴２３ｂは、ジョイント２２を揺動可能に支持していると共に、第２カム穴２３ｂが連結カム２３の長手方向に沿って楕円形状に構成されていることにより、ジョイント２２の往復動作を回転軸５の回転動作に変換することを可能にしている。
【００６４】
次に、外側ケース４の内部における各構成要素の関係について説明する。図１４に示すように、外側ケース４の内部には、トリガースイッチユニット３が、外側ケース４のＺ１方向に寄せて取り付けられていて、トリガースイッチユニット３に取り付けられている回転軸５には連結カム２３が取り付けられている。
【００６５】
図１４に示すように、ジョイント突起部２２ａを含むジョイント２２とトリガー突出部１ｂ、及び連結カム２３は、ユニットケース１１と外側ケース４の内側の面との間に挟持されている。このように構成することによって、外側ケース本体４ａに外側ケースカバー４ｂを組み付けるだけで、特別な部品を追加することなくジョイント２２及び連結カム２３を容易に支持することができる。
【００６６】
図１２及び図１４に示すように、トリガースイッチユニット３のユニットケース１１には、レール部１８が設けられている。レール部１８には、第１操作部１のトリガー突出部１ｂが戴置され、トリガー突出部１ｂの往復運動を支持している。このように構成することによって、ジョイント２２がトリガー突出部１ｂの往復動作の方向に沿って摺動可能となるため、ジョイント２２を安定して動作させることができる。
【００６７】
図１３、図１４に示すように、外側ケース４は、外側ケース本体４ａの下部（Ｙ２方向）に、外側ケース本体４ａと外側ケースカバー４ｂとで外部配線用開口部４ｅを形成している。そして、この外部配線用開口部４ｅに突出するように、オス型コネクタ７が配設されている。オス型コネクタ７は、図１４からわかるとおり、ユニットケース１１から外部配線用開口部４ｅに突出するように配設されていると共に、外側ケース４のどの面からも、外側に突出しないように構成されている。このように、ユニットケース１１から外部配線用開口部４ｅに突出するように配設することにより、オス型コネクタ７がメス型コネクタ９１と組み合される時のコーキング等の防水処理がしやすくなる。また、図１２乃至図１４に示すように、オス型コネクタ７及びメス型コネクタ９１が、外側ケース４のどの面からも、外側に突出しないように構成されるため、電動工具のハンドル等に組み込んだ場合に、他の部分の邪魔になることがない。
【００６８】
次に、図９乃至図１２を参照して、第２操作部２の取付け構造について説明する。
【００６９】
第２操作部２は、図９に示すように、第２操作部本体２ａと、第２操作部本体２ａに第２操作部接続部２ｅを介して一体に形成された駆動部２ｃとからなる。また、第２操作部本体２ａには、レバー２ｂが取り付けられており、レバー２ｂを手で揺動させることによって、第２操作部２を操作するように構成されている。駆動部２ｃの先端部は、外側ケース本体４ａに設けられた板バネ支持部４ｆに支持された板バネ１３に接している。板バネ１３は、その一端が、板バネ支持部４ｆの外側ケース本体４ａのＺ１側の一端で固定支持されており、板バネ１３の他端は、外側ケース本体４ａのＺ２側でどこにも固定されず、フリーの状態となっている。
【００７０】
第２操作部２は、図９に示すように、外側ケース４に設けられた第２支持部４ｄに支持されている。第２支持部４ｄは、図１０に示すように、外側ケース本体４ａと外側ケースカバー４ｂとにそれぞれ設けられた平面視半円状の凹部が、外側ケース本体４ａと外側ケースカバー４ｂとが組み合わされた時の円形の開口部として形成される。図１１、図１２に示すように第２操作部２は、第２操作部接続部２ｅがこの第２支持部４ｄに挟持される形で揺動可能に支持される。
【００７１】
第２操作部２は、図１１、図１２に示すように、外側ケース４の第２支持部４ｄに支持されている状態で、トリガースイッチユニット３に設けられた押圧検出部１２の操作ボタン２０を押圧操作するように構成されている。
【００７２】
次に、図８、図１５、図１６を参照して、第２操作部２の働きについて説明する。
【００７３】
図１５は、トリガースイッチ１００における第２操作部２の動作を示す平面図であり、図１６は、トリガースイッチ１００における第２操作部２の動作を示す拡大側面図である。詳しくは、図１５（ａ）は、第２操作部２が操作される前の、押圧検出部１２がオフである時の状態を示す平面図であり、図１５（ｂ）は、第２操作部２が操作され、押圧検出部１２をオンとする直前の状態を示す平面図である。そして、図１５（ｃ）は、第２操作部２が操作され、押圧検出部１２がオンとされた状態を示す平面図である。また、図１６（ａ）、図１６（ｂ）、図１６（ｃ）は、図１５（ａ）、図１５（ｂ）、図１５（ｃ）それぞれに対応した第２操作部２の駆動部２ｃと操作ボタン２０との関係を示す拡大側面図である。
【００７４】
図８に示すように、トリガースイッチユニット３の内部には、第２操作部２によって操作される押圧検出部１２が内蔵されている。尚、押圧検出部１２は、例えば、電動工具に内蔵されているモーターの回転方向を正方向又は逆方向に切り換えるためのスイッチ機構部である。ユニットケース１１の押圧検出部１２の上方（Ｙ１方向）には、押圧検出部１２の接続状態を切り換えるための操作部としての操作ボタン２０が、ユニットケース１１から上方に突出するように設けられている。
【００７５】
図８に示すように、押圧検出部１２には、押圧スイッチ３２が形成されている。操作ボタン２０が押圧される前の状態では、出力端子７ａに接続された２本の第２接続用導通部材１５のそれぞれが延伸して形成された押圧スイッチ用固定接点部材３２ａは、それぞれが離間したままであり、押圧スイッチ３２はオフの状態である。そして、操作ボタン２０が、所定量押圧された状態では、それぞれの押圧スイッチ用固定接点部材３２ａが、電気的に接続されるため、押圧スイッチ３２がオンとなる。
【００７６】
図１５（ｂ）に示すように、第２操作部２は、第２操作部本体２ａと駆動部２ｃとの接続部である第２操作部接続部２ｅを支点として、レバー２ｂを矢印方向Ｃ１に揺動させることにより、駆動部２ｃを矢印方向Ｄ１に揺動させることができる。駆動部２ｃの先端部は、２個の凸部と、この２個の凸部の間の凹部とからなり、外側ケース４に固定支持された板バネ１３に押圧支持されている。板バネ１３には、その中央部に凸部が設けられていると共に、その両側に傾斜部そして平坦部が形成されていて、板バネ１３の凸部又は傾斜部と駆動部２ｃの凸部又は凹部とが組み合わされるように構成されている。尚、駆動部２ｃの凹部と板バネ１３の凸部とがかみ合うことによりクリック感が得られる。
【００７７】
図１５（ａ）は、第２操作部２が操作される前の状態を示しており、駆動部２ｃの先端部にあるＺ１側の凸部が、板バネ１３の凸部のＺ２側の傾斜部に押圧支持されている。この時の操作ボタン２０と駆動部２ｃとの関係が図１６（ａ）に示されている。この状態では、操作ボタン２０と駆動部２ｃの先端部とは、所定距離だけ離間しており、操作ボタン２０がまだ押圧されておらず、図８に示す押圧検出部１２のスイッチ部１２ａがオフの状態である。尚、駆動部２ｃの先端部には傾斜連結カム面２ｄが形成されている。
【００７８】
図１５（ｂ）は、第２操作部２のレバー２ｂがＣ１方向に揺動操作された状態を示しており、駆動部２ｃの先端部にあるＺ２側の凸部が、板バネ１３の凸部に押圧されている。この時の操作ボタン２０と駆動部２ｃとの関係が図１６（ｂ）に示されている。この状態は、レバー２ｂの操作により駆動部２ｃが、Ｄ１方向に揺動し、操作ボタン２０の半球状の傾斜部と駆動部２ｃの傾斜連結カム面２ｄとが接している状態である。この時、操作ボタン２０は、傾斜連結カム面２ｄと接しているだけなので、操作ボタン２０がまだ押圧されておらず、図８に示す押圧検出部１２のスイッチ部１２ａはオフの状態である。
【００７９】
図１５（ｃ）は、第２操作部２のレバー２ｂが、更にＣ１方向に揺動操作された状態を示しており、駆動部２ｃの先端部にあるＺ２側の凸部が、板バネ１３の凸部のＺ１側の傾斜部及び平坦部に押圧支持されている。この時の操作ボタン２０と駆動部２ｃとの関係が図１６（ｃ）に示されている。レバー２ｂの操作により、駆動部２ｃがＤ１方向に揺動し、操作ボタン２０の半球状の傾斜部が、駆動部２ｃの傾斜連結カム面２ｄにより押圧されて、操作ボタン２０がＥ１の方向（Ｙ２方向）に押し下げられる。そして、傾斜連結カム面２ｄがＤ１方向に揺動し終わった後に、駆動部２ｃの下面が、操作ボタン２０の半球状の頭部を押さえるように、操作ボタン２０を押圧する。駆動部２ｃの下面が、操作ボタン２０を押圧している状態になった時には、図８に示す押圧検出部１２のスイッチ部１２ａはオンの状態となる。
【００８０】
このように、操作ボタン２０が、第２操作部２の駆動部２ｃに形成された傾斜連結カム面２ｄにより押圧されることによって、押圧検出部１２のスイッチ動作が行なわれる。傾斜連結カム面２ｄの傾斜角、及び駆動部２ｃの上下方向（Ｙ１−Ｙ２方向）の厚みをそれぞれ適切に設定することにより、駆動部２ｃのストロークを操作ボタン２０の動作可能範囲内に調整することができる。
【００８１】
上述したように、第２操作部２により、押圧検出部１２は、電動工具に内蔵されているモーターの回転方向を正方向又は逆方向に切り換える等の切り換え操作を容易に行うことができる。
【００８２】
以上説明したように、本実施形態に係るトリガースイッチユニット３は、出力端子７ａと回転検出部８とを電気的に接続する複数の第１接続用導通部材９を、防水構造になっているユニットケース１１の内部に配設したため、複数の第１接続用導通部材９それぞれに水が付着することがなく、複数の第１接続用導通部材９同士が短絡してしまうという問題が生じなくなった。従って、回転検出部８に接続されている第１接続用導通部材９を含む回転検出部８周辺の防水性を高めることができる。
【００８３】
本発明は上記の実施形態に限定されるものではなく、要旨を逸脱しない範囲で種々変更して実施することが可能である。
【符号の説明】
【００８４】
１        第１操作部
１ａ      トリガー部
１ｂ      トリガー突出部
１ｃ      トリガー凹部
２        第２操作部
２ａ      第２操作部本体
２ｂ      レバー
２ｃ      駆動部
２ｄ      傾斜連結カム面
２ｅ      第２操作部接続部
３        トリガースイッチユニット
４        外側ケース
４ａ      外側ケース本体
４ｂ      外側ケースカバー
４ｃ      第１支持部
４ｄ      第２支持部
４ｅ      外部配線用開口部
４ｆ      板バネ支持部
４ｇ      外側ケース穴部
４ｈ      圧縮バネ支持部
５        回転軸
６        変換手段
７        オス型コネクタ
７ａ      出力端子
８        回転検出部
９        第１接続用導通部材
１０      第１防水手段
１１      ユニットケース
１１ａ    ユニットケース本体
１１ｂ    ユニットケースカバー
１１ｃ    第１穴部
１１ｄ    第２穴部
１１ｅ    第１防水手段取付凹部
１１ｆ    第２防水手段取付凹部
１２      押圧検出部
１３      板バネ
１５      第２接続用導通部材
１６      第２防水手段
１７      ドーム型弾性防水部材
１８      レール部
１９      リング状弾性防水部材
２０      操作ボタン
２０ａ    くびれ部
２１      圧縮バネ
２２      ジョイント
２２ａ    ジョイント突起部
２３      連結カム
２３ａ    第１カム穴
２３ｂ    第２カム穴
２４      パッキン
３２      押圧スイッチ
３２ａ    押圧スイッチ用固定接点部材
９１      メス型コネクタ
１００    トリガースイッチ
【図１】
2014179275.tif 000003
【図２】
2014179275.tif 000004
【図３】
2014179275.tif 000005
【図４】
2014179275.tif 000006
【図５】
2014179275.tif 000007
【図６】
2014179275.tif 000008
【図７】
2014179275.tif 000009
【図８】
2014179275.tif 000010
【図９】
2014179275.tif 000011
【図１０】
2014179275.tif 000012
【図１１】
2014179275.tif 000013
【図１２】
2014179275.tif 000014
【図１３】
2014179275.tif 000015
【図１４】
2014179275.tif 000016
【図１５】
2014179275.tif 000017
【図１６】
2014179275.tif 000018
【図１７】
2014179275.tif 000019
【図１８】
2014179275.tif 000020